(57)【要約】【課題】かごドアのかご室内に向いている面を簡単な構成で清掃することができるエレベータの清掃装置を得る。【解決手段】かご出入口２の袖壁８ａには、清掃具２１が、かごドア４のかご室３内に向いている面に接触した状態で設けられている。清掃具２１は、かご出入口２の間口方向へのかごドア４の移動によってかごドア４のかご室３内に向いている面を摺動する。【選択図】図４
2016008127.tif 000002
【特許請求の範囲】
【請求項１】
かごドアのかご室内に向いている面に接触した状態でかご出入口の袖壁に設けられ、上記かご出入口の間口方向への上記かごドアの移動によって上記かごドアの上記かご室内に向いている面を摺動する清掃具
を備えているエレベータの清掃装置。
【請求項２】
上記かごドアの移動によって上記清掃具の位置を通過するように上記かごドアに設けられ、上記清掃具の位置を通過するときに上記清掃具に接触して上記清掃具から汚れを除去する除去具
をさらに備えている請求項１に記載のエレベータの清掃装置。
【請求項３】
上記除去具は、上記かごドアが上記かご出入口を閉じているときに上記袖壁と上記かごドアとの間の隙間に存在している請求項２に記載のエレベータの清掃装置。
【請求項４】
上記清掃具は、上記袖壁と上記かごドアとの間の隙間に配置されている請求項１〜請求項３のいずれか一項に記載のエレベータの清掃装置。
【請求項５】
上記清掃具は、上記かご室に設けられた空調装置からの風が上記かごドアに当たる範囲と同じ高さの範囲に配置されている請求項１〜請求項４のいずれか一項に記載のエレベータの清掃装置。
【発明の詳細な説明】
【技術分野】
【０００１】
この発明は、かごを清掃するエレベータの清掃装置に関するものである。
【背景技術】
【０００２】
従来、昇降路の内壁に取り付けた支持部材にアーム部材を回動自在に取り付け、かごの外壁を清掃する清掃体をアーム部材の端部に着脱自在に装着したエレベータの清掃装置が提案されている（特許文献１参照）。
【先行技術文献】
【特許文献】
【０００３】
【特許文献１】２００２−８７７１９号公報
【発明の概要】
【発明が解決しようとする課題】
【０００４】
しかし、従来の清掃装置では、構造が複雑になってしまうだけでなく、かごの内側の清掃をすることができない。また、従来の清掃装置では、エレベータの通常運転時にかごの清掃をすることができない。
【０００５】
この発明は、上記のような課題を解決するためになされたものであり、かごドアのかご室内に向いている面を簡単な構成で清掃することができるエレベータの清掃装置を得ることを目的とする。
【課題を解決するための手段】
【０００６】
この発明によるエレベータの清掃装置は、かごドアのかご室内に向いている面に接触した状態でかご出入口の袖壁に設けられ、かご出入口の間口方向へのかごドアの移動によってかごドアのかご室内に向いている面を摺動する清掃具を備えている。
【発明の効果】
【０００７】
この発明によるエレベータの清掃装置によれば、かご出入口がかごドアの移動によって開閉されるたびごとにかごドアのかご室に向いている面を清掃具によって清掃することができる。また、清掃具を動かす機構を設ける必要がないので、清掃装置の構成を簡単にすることができる。
【図面の簡単な説明】
【０００８】
【図１】この発明の実施の形態１によるかごを示す一部破断斜視図である。
【図２】図１のかごを示す縦断面図である。
【図３】図１のＩＩＩ−ＩＩＩ線に沿った断面図である。
【図４】図３のＩＶ部を示す拡大図である。
【発明を実施するための形態】
【０００９】
以下、この発明の好適な実施の形態について図面を参照して説明する。
実施の形態１．
図１は、この発明の実施の形態１によるかごを示す一部破断斜視図である。また、図２は、図１のかごを示す縦断面図である。図において、昇降路内を上下方向へ移動するかご１は、かご出入口２が設けられたかご室３と、かご出入口２を開閉する一対のかごドア４と、かご室３の上面に取り付けられた空調装置５とを有している。
【００１０】
かご室３は、かご床６、かご天井７、かご正面壁８、かご背面壁９及び一対のかご側面壁１０を有している。かご天井７は、かご床６の上方に位置している。かご正面壁８及びかご背面壁９は、かご室３の奥行き方向について互いに対向している。一対のかご側面壁１０は、かご室３の幅方向について互いに対向している。
【００１１】
かご出入口２は、かご正面壁８に設けられている。これにより、かご出入口２の間口方向は、かご室３の幅方向と一致している。かご正面壁８は、かご出入口２の両側部に位置する一対の袖壁８ａと、かご出入口２の上部に位置する上板８ｂとを有している。かご出入口２は、一対の袖壁８ａ、上板８ｂ及びかご床６の前端部で囲まれて形成されている。
【００１２】
一対のかごドア４は、かご室３の外側に配置されている。また、一対のかごドア４は、かご出入口２の上部に固定された図示しないドア支持装置により吊り下げられている。さらに、一対のかごドア４は、かご室３の上面に設置された図示しないドア駆動装置の駆動力により、かご室３の奥行き方向について各袖壁８ａに対向しながら、かご出入口２の間口方向に沿って互いに反対方向へ移動される。かご出入口２は、一対のかごドア４がかご出入口２の間口方向に沿って移動されることにより開閉される。
【００１３】
各階の乗場には、一対の乗場ドア（図示せず）によって開閉される乗場出入口（図示せず）がそれぞれ設けられている。乗場出入口は、一対の乗場ドアが乗場出入口の間口方向に沿って互いに反対方向へ移動されることにより開閉される。かご１が各階のいずれかに停止すると、かご１が停止した階の各乗場ドアに各かごドア４が対向する。かご出入口２及び乗場出入口は、かごドア４が乗場ドアと係合しながら移動されることにより同時に開閉される。
【００１４】
各かごドア４は、パネル表面をかご室３内に向けて配置されたドアパネル４ａと、ドアパネル４ａの下端部から突出する戸の脚４ｂとを有している。ドアパネル４ａのパネル表面は、意匠面になっている。一対のかごドア４がかご出入口２を閉じている状態では、ドアパネル４ａのパネル表面がかご出入口２を通してかご室３内に露出している。
【００１５】
かご出入口２の下部には、かご床６の前端部に固定されたかご敷居１１が配置されている。かご敷居１１の上面には、各かごドア４の戸の脚４ｂが挿入された敷居溝１１ａが各かごドア４の移動方向に沿って設けられている。
【００１６】
空調装置５は、かご天井７の上面に設けられている。かご天井７には、図２に示すように、空調装置５からの風がかご室３内へ吹き出す送風口１２が設けられている。送風口１２は、かご天井７のかご正面壁８に近い位置に設けられている。空調装置５では、図２の矢印Ａで示すように、送風口１２からかご出入口２に向けて吹き出すように風の向きが調整されている。これにより、かご出入口２が各かごドア４で閉じているときには、各かごドア４のパネル表面に空調装置５からの風が当たる。この例では、かご天井７のかご正面壁８に近い位置にのみ送風口１２が設けられている。
【００１７】
各袖壁８ａには、図２に示すように、かごドア４のかご室３内に向いているパネル表面を清掃する清掃装置１３がそれぞれ設けられている。この例では、空調装置５からの風が当たるかごドア４の範囲に空気中の微細物質（例えば塵又は埃等）が付着して汚れやすいため、空調装置５からの風がかごドア４に当たる範囲と同じ高さの範囲にのみ各清掃装置１３が配置されている。
【００１８】
図３は、図１のＩＩＩ−ＩＩＩ線に沿った断面図である。また、図４は、図３のＩＶ部を示す拡大図である。各清掃装置１３は、かごドア４に接触した状態で袖壁８ａに設けられた清掃具２１と、清掃具２１が接触しているかごドア４に設けられ、清掃具２１から汚れを除去する除去具２２とを有している。
【００１９】
清掃具２１は、かご出入口２よりも間口方向外側に配置されている。清掃具２１は、袖壁８ａとかごドア４との間の隙間に配置されている。これにより、清掃具２１は、かご室３内からみて袖壁８ａで隠れた状態になっている。また、清掃具２１は、ドアパネル４ａのパネル表面に接触する接触部２１ａを有している。接触部２１ａは、ドアパネル４ａのパネル表面を傷つけにくい柔らかい材質で構成されている。接触部２１ａとしては、例えば起毛体又はスポンジ等が用いられている。この例では、空調装置５からの風がかごドア４に当たる範囲と同じ高さの範囲全体に清掃具２１が配置されている。
【００２０】
各清掃装置１３では、清掃具２１が接触するかごドア４がかご出入口２の間口方向へ移動することにより、清掃具２１の接触部２１ａがかごドア４のドアパネル４ａのパネル表面を摺動する。接触部２１ａがドアパネル４ａのパネル表面を摺動することにより、ドアパネル４ａのパネル表面の汚れが接触部２１ａで拭き取られ、ドアパネル４ａのパネル表面が清掃される。
【００２１】
除去具２２は、ドアパネル４ａのパネル表面に設けられている。また、除去具２２は、かご出入口２を開閉するときのかごドア４の移動によって、かご出入口２よりも間口方向外側の範囲を移動する。また、除去具２２は、かごドア４がかご出入口２を閉じているときにも袖壁８ａとかごドア４との間の隙間に存在している。これにより、除去具２２は、かご室３内からみて袖壁８ａで隠れた状態になっている。
【００２２】
かごドア４がかご出入口２を閉じる位置に達すると除去具２２が清掃具２１よりもかご出入口２に近い位置に達し、かごドア４がかご出入口２を開く位置に達すると除去具２２が清掃具２１よりもかご出入口２から遠い位置に達する。これにより、除去具２２は、かご出入口２を開閉するときのかごドア４の移動によって清掃具２１の位置を通過する。また、除去具２２は、清掃具２１の位置を通過するときに清掃具２１に接触して清掃具２１から汚れを除去する。
【００２３】
除去具２２は、清掃具２１が配置されている範囲と同じ高さの範囲に配置されている。また、この例では、棒状の突起が除去具２２としてかごドア４に設けられ、塵等が付着しやすい起毛体が接触部２１ａとして袖壁８ａに設けられており、除去具２２が清掃具２１の位置を通過するときに接触部２１ａが除去具２２で掻かれることにより、接触部２１ａに付着した汚れ（例えば塵又は埃等）が取り払われる。
【００２４】
次に、動作について説明する。ドア駆動装置に駆動力が発生すると、ドアパネル４ａのパネル表面が清掃具２１の接触部２１ａに接触しながら、各かごドア４がかご出入口２の間口方向に沿って移動される。これにより、清掃具２１の接触部２１ａがドアパネル４ａのパネル表面を摺動し、ドアパネル４ａのパネル表面に付着した汚れが接触部２１ａで拭き取られる。
【００２５】
各かごドア４の移動によってかご出入口２が開閉されるときには、かごドア４に設けられている除去具２２が清掃具２１の位置を通過する。このとき、除去具２２が清掃具２１に接触し、清掃具２１から汚れが除去される。
【００２６】
このようなエレベータの清掃装置１３では、かご出入口２の袖壁８ａに清掃具２１が設けられ、かご出入口２の間口方向へのかごドア４の移動によって清掃具２１がかごドア４のパネル表面を摺動するので、かご出入口２がかごドア４の移動によって開閉されるたびごとにかごドア４のパネル表面を清掃具２１によって清掃することができる。これにより、エレベータの運転中もかごドア４のかご室３内に向いているパネル表面を清掃することができ、かご室３内の意匠性の悪化の抑制をより確実に図ることができる。また、清掃具２１を動かす機構を設ける必要がないので、清掃装置１３の構成を簡単にすることができる。
【００２７】
また、かごドア４の移動によって清掃具２１の位置を通過する除去具２２がかごドア４に設けられ、除去具２２が清掃具２１の位置を通過するときに除去具２２が清掃具２１に接触して清掃具２１から汚れが除去されるので、清掃具２１の清掃機能の低下を抑制することができ、清掃具２１のメンテナンス作業の頻度を減らすことができる。
【００２８】
また、除去具２２は、かごドア４がかご出入口２を閉じているときに袖壁８ａとかごドア４との間の隙間に存在しているので、かご室３内からみて除去具２２を袖壁８ａに隠れた状態にすることができ、かご室３内の意匠性の悪化を防止することができる。
【００２９】
また、清掃具２１は、袖壁８ａとかごドア４との間の隙間に配置されているので、かご室３内からみて清掃具２１を袖壁８ａに隠れた状態にすることができ、かご室３内の意匠性の悪化を防止することができる。
【００３０】
また、清掃具２１は、空調装置５からの風がかごドア４に当たる範囲と同じ高さの範囲に配置されているので、空調装置５からの風に含まれる微細物質（例えば塵又は埃等）によって汚れやすくなっているかごドア４の範囲をより確実に清掃することができ、かご室３内の意匠性の悪化の抑制をさらに確実に図ることができる。
【００３１】
また、空調装置５からの風をかご出入口２に向けて送るようにすることにより、かご室３内の塵又は埃等をかごドア４に集めやすくすることができ、かごドア４に対する清掃具２１の清掃によってかご室３内の汚れを効果的に除去することができる。これにより、かご室３内の意匠性の悪化の抑制をさらに確実に図ることができる。
【００３２】
なお、上記の例では、空調装置５からの風がかごドア４に当たる範囲と同じ高さの範囲にのみ清掃具２１が配置されているが、これに限定されない。例えば、かご出入口２の高さ方向の全範囲に清掃具２１を配置してもよい。この場合、除去具２２も、清掃具２１が配置される範囲に合わせて、かご出入口２の高さ方向の全範囲に配置される。
【００３３】
また、上記の例では、除去具２２がかごドア４に設けられているが、除去具２２はなくてもよい。除去具２２がなくても、かごドア４の移動によってかごドア４のパネル表面に清掃具２１の接触部２１ａを摺動させることができ、かごドア４を清掃具２１によって清掃することができる。
【００３４】
また、上記の例では、清掃具２１が袖壁８ａとかごドア４との間の隙間に配置されているが、袖壁８ａのかご出入口２側の側面に清掃具２１を設けてもよい。このように清掃具２１がかご室３内に露出していても、かごドア４を清掃具２１によって清掃することができ、かごドア４の意匠性の悪化を抑制することができる。
【符号の説明】
【００３５】
２  かご出入口、３  かご室、４  かごドア、５  空調装置、８ａ  袖壁、１３  清掃装置、２１  清掃具、２２  除去具。
【図１】
2016008127.tif 000003
【図２】
2016008127.tif 000004
【図３】
2016008127.tif 000005
【図４】
2016008127.tif 000006